(57)【要約】【課題】電力を使用せず、回転のみならず前後左右への移動も可能で、設置移設が容易にでき管理・維持費が安価な回転装置を提供する。【解決手段】この発明の回転装置は単に対象物を回転させるだけでなく、前後左右へも移動させる事ができ、シンプルな構造で構成されているので、経済的コストで製作できる。シンプルな構造であるゆえ、土木工事も軽微で済み、設備も容易に行える為、経済的である。【選択図】図１
2016020194.tif 000002
【特許請求の範囲】
【請求項１】
ピン挿入口２４を設けた本体２１と可倒部２２の接合面に装着された丁番２８と可倒部２２とスロープ部２３の接合面に装着された丁番２８１、スロープ部２３に設けられたロック部２７、ロックレバー２７１、制動ゴム２７２、下面に設けられた誘導みぞ２５、キャスター２６によって構成された積載部２と回転軸３２を設けた土台３、脱着式ピン３３によって構成された回転装置。
【発明の詳細な説明】
【技術分野】
【０００１】本発明は、移動可能で簡単に設置でき、回転、停止させる回転装置に関するものである。
【背景技術】
【０００２】電力を利用して対象物を回転させる回転装置がある。【０００３】しかし従来の電力を使用して重量物を回転させる装置は製作コストが高く装置の設置のみならず電力工事及び設置土木工事を必要とし、移設が困難で撤去後の整地工事が必要で、管理・維持費が高額になり広く普及し難い。
【先行技術文献】
【特許文献】
【０００４】
【特許文献１】  特開２００８−２２２０１８号公報
【発明の概要】
【発明が解決しようとする課題】
【０００５】本発明は、上記の問題に留意して電力を使用せず、回転のみならず前後左右への移動も可能で、設置移設が容易にでき管理・維持費が安価な回転装置を提供する事を目的とする。
【課題を解決するための手段】
【０００６】積載部２の下面に設けられたキャスター２６及び、脱着式ピン３３を設けた積載部２と下面に設けた回転軸３２を軸に回転し、脱着式ピン３３を取り外した場合、前後左右の方向への移動が可能となることを特徴とする回転装置。【０００７】取り外した脱着式ピン３３を移動した回転装置と再度連結させる為に、積載部２の下面に設けられた誘導みぞ２５に回転軸３２が誘導され脱着式ピン３３を目視の確認なくとも、確実に取り付ける事ができるものである。
【発明の効果】
【０００８】この発明の回転装置は単に人力で対象物を回転させるだけでなく、前後左右へも移動させる事ができ、シンプルな構造で構成されているので、経済的コストで製作できる。シンプルな構造であるゆえ、土木工事も軽微で済み、設備も容易に行える為、経済的である。
【図面の簡単な説明】
【０００９】
【図１】本発明の回転装置の全体構成  （ａ）上方からの斜視図  （ｂ）下方からの斜視図
【図２】本発明の回転装置を床に設置する場合の構成図
【図３】本発明の滑り止め機構図
【発明を実施するための形態】
【００１０】［図１］本発明の回転装置の全体構成
本発明の回転装置は積載部２と土台３によって構成されている。
【００１１】［図２］本発明の回転装置を床に設置する場合の構成図
本体２１にピン挿入口２４があり、本体２１の横の誘導みぞ２５が回転軸３２に誘導され本体２１のピン挿入口２４と回転軸３２が接面する。そこに脱着式ピン３３を挿入する。
【００１２】［図３］本発明の滑り止め機構図
制動ゴム２７２を有するスロープ部２３を設けており、移動の完了後には、積載部２に設けられたロックレバー２７１をロックする事で、制動ゴム２７２が床面と接面し、積載部２は制動を保持する。
【００１３】積載部２にはピン挿入口２４が設けられている本体２１と丁番２８で装着された可倒部２２があります。
【００１４】ピン挿入口２４を設けた本体２１と可倒部２２の接合面に装着された丁番２８と可倒部２２とスロープ部２３の接合面に装着された丁番２８１、スロープ部２３に設けられたロック部２７、ロックレバー２７１、制動ゴム２７２、下面に設けられた誘導みぞ２５、キャスター２６によって構成された積載部２と回転軸３２を設けた土台３、脱着式ピン３３によって構成された回転装置。
【００１５】対象物を回転装置１に積載する事により対象物が単体では本来、移動不可能な移動を可能にする物である。積載部２は、制動ゴム２７２を有するスロープ部２３を設けており、移動の完了後には、積載部２に設けられたロックレバー２７１をロックする事で、制動ゴム２７２が床面と接面し、積載部２は制動を保持する。
【００１６】図１ａ  脱着式ピン３３が取り外されている状態で脱着式ピン３３を土台３の回転軸３２に挿入する際、積載部２の背面に設けられた誘導みぞ２５に沿って回転軸３２が積載部２のピン挿入口２４に接面した時、脱着式ピン３３を容易に挿入出来るようにした回転装置。
【００１７】図２の様な脱着式ピン３３と回転軸受け４に挿入した回転軸３２の形状にする事により、脱着式ピン３３を取り外し、回転装置１を移動させた場合でも床面に突起物が無く、安全面に配慮できる。
【００１８】取り外した脱着式ピン３３を移動した回転装置と再度連結させる為に、積載部２の下面に設けられた誘導みぞ２５に回転軸３２が誘導され脱着式ピン３３を目視の確認なくとも、確実に取り付ける事ができるものである。
【産業上の利用可能性】
【００１９】対象物を積載したまま小スペース駐車場での移動面積を最大限に活用できる。【００２０】回転及び移動時に直接対象物にふれる事なく回転移動を行える為、安全面にも優れている天板２２に設けられた穴２２２に手すり２２１を挿入する事で手すり２２１を固定し、使用できる。【００２１】積載部２は本体２１と可倒部２２の接合面に設けられた丁番２８により連結されており、収納時には折り畳んで収納ができる。【００２２】図４  可倒部２２の接合面を図４のフック５１、フック受け５２の形状にする事により、図４のように接合する事が出来、分割式で多用途に対応できる。
【符号の説明】
【００２３】１            回転装置
２            積載部
２１        本体
２２        可倒部
２２１  手すり
２２２  手すり挿入口
２３        スロープ部
２４        ピン挿入口
２５        誘導みぞ
２５１  誘導進入口
２６        キャスター
２７        ロック部
２７１  ロックレバー
２７２  制動ゴム
２８        丁番
２８１  丁番
３            土台
３１        土台本体
３２        回転軸
３３        脱着式ピン
４            回転軸受け
４１        回転軸受けフタ
５            フック部
５１        フック
５２        フック受け
【図１】
2016020194.tif 000003
【図２】
2016020194.tif 000004
【図３】
2016020194.tif 000005
【図４】
2016020194.tif 000006
【手続補正書】
【提出日】平成26年8月28日(2014.8.28)
【手続補正１】
【補正対象書類名】明細書
【補正対象項目名】０００９
【補正方法】変更
【補正の内容】
【０００９】
【図１】本発明の回転装置の全体構成  （ａ）上方からの斜視図  （ｂ）下方からの斜視図
【図２】本発明の回転装置を床に設置する場合の構成図
【図３】本発明の滑り止め機構図
【図４】本発明の回転装置本体との接合面をフック形状にした場合の接合図